(57)【要約】  フレーマは、伝送優先度をそれぞれ有する複数の論理パスに光チャネルの複数のタイムスロットを割り当て、前記複数の論理パスにより受信した複数のクライアント信号を前記複数の論理パスに割り当てられている前記複数のタイムスロットに割り当て、前記複数のタイムスロットに対応付けられた複数の光波長を用いた複数の光サブキャリアにより前記複数のクライアント信号を伝送する伝送装置におけるフレーマであって、高い伝送優先度を有する論理パスに割り当てられているタイムスロットに対応する光波長を使用しない場合、前記使用しない光波長に対応した前記タイムスロットを避けて前記高い伝送優先度を有する論理パスに前記複数のタイムスロットの少なくとも一つを割り当てることにより、前記高い伝送優先度を有する論理パスに割り当てられている前記タイムスロットを変更するタイムスロット割り当て部を備える。
2016084953.tif 000002
【特許請求の範囲】
【請求項１】
伝送優先度をそれぞれ有する複数の論理パスに光チャネルの複数のタイムスロットを割り当て、前記複数の論理パスにより受信した複数のクライアント信号を前記複数の論理パスに割り当てられている前記複数のタイムスロットに割り当て、前記複数のタイムスロットに対応付けられた複数の光波長を用いた複数の光サブキャリアにより前記複数のクライアント信号を伝送する伝送装置におけるフレーマであって、
高い伝送優先度を有する論理パスに割り当てられているタイムスロットに対応する光波長を使用しない場合、前記使用しない光波長に対応した前記タイムスロットを避けて前記高い伝送優先度を有する論理パスに前記複数のタイムスロットの少なくとも一つを割り当てることにより、前記高い伝送優先度を有する論理パスに割り当てられている前記タイムスロットを変更するタイムスロット割り当て部を備えるフレーマ。
【請求項２】
前記タイムスロット割り当て部は、前記使用しない光波長に対応した前記タイムスロットに割り当てられている前記論理パスと、前記使用しない光波長に対応した前記タイムスロットに割り当てられている前記論理パスよりも伝送優先度が低く、かつ、前記複数の光波長のうち正常な光波長に対応したタイムスロットに割り当てられている論理パスとの間で割り当て先のタイムスロットを入れ替えるようにタイムスロットの再割り当てを行う請求項１に記載のフレーマ。
【請求項３】
前記タイムスロット割り当て部は、前記使用しない光波長に対応した前記使用しないタイムスロットに割り当てられている前記論理パスの割り当て先を、前記複数の光波長のうち正常な光波長に対応し、かつ、論理パスが割り当てられていないタイムスロットに変更する請求項１に記載のフレーマ。
【請求項４】
前記タイムスロット割り当て部は、前記使用しない光波長に対応した前記使用しないタイムスロットに割り当てられている前記論理パスの割り当て先を、前記複数の光波長のうち正常な光波長に対応し、論理パスが割り当てられておらず、かつ使用不可に設定されていないタイムスロットに変更する請求項１に記載のフレーマ。
【請求項５】
伝送優先度をそれぞれ有する複数の論理パスに光チャネルの複数のタイムスロットを割り当て、前記複数の論理パスにより受信した複数のクライアント信号を前記複数の論理パスに割り当てられている前記複数のタイムスロットに割り当て、前記複数のタイムスロットに対応付けられた複数の光波長を用いた複数の光サブキャリアにより前記複数のクライアント信号を伝送する伝送装置におけるフレーマが行うフレーミング方法であって、
高い伝送優先度を有する論理パスに割り当てられているタイムスロットに対応する光波長を使用しない場合、前記使用しない光波長に対応した前記タイムスロットを避けて前記高い伝送優先度を有する論理パスに前記複数のタイムスロットの少なくとも一つを割り当てることにより、前記高い伝送優先度を有する論理パスに割り当てられている前記タイムスロットを変更するタイムスロット割り当てステップを有するフレーミング方法。
【請求項６】
前記タイムスロット割り当てステップは、前記使用しない光波長に対応した前記タイムスロットに割り当てられている前記論理パスと、前記使用しない光波長に対応した前記タイムスロットに割り当てられている前記論理パスよりも伝送優先度が低く、かつ、前記複数の光波長のうち正常な光波長に対応したタイムスロットに割り当てられている論理パスとの間で割り当て先のタイムスロットを入れ替えるようにタイムスロットの再割り当てを行うことを有する請求項５に記載のフレーミング方法。
【請求項７】
前記タイムスロット割り当てステップは、前記使用しない光波長に対応した前記タイムスロットに割り当てられている前記論理パスの割り当て先を、前記複数の光波長のうち正常な光波長に対応し、かつ、論理パスが割り当てられていないタイムスロットに変更する請求項５に記載のフレーミング方法。
【請求項８】
前記タイムスロット割り当てステップは、前記使用しない光波長に対応した前記タイムスロットに割り当てられている前記論理パスの割り当て先を、前記複数の光波長のうち正常な光波長に対応し、論理パスが割り当てられておらず、かつ、使用不可に設定されていないタイムスロットに変更することを有する請求項５に記載のフレーミング方法。
【発明の詳細な説明】
【技術分野】
【０００１】
本発明は、フレーマ、及びフレーミング方法に関する。
本願は、２０１４年１１月２８日に出願された特願２０１４−２４１４９４号に基づき優先権を主張し、その内容をここに援用する。
【背景技術】
【０００２】
大容量の広域光転送網であるＯＴＮ（Optical Transport Network）では、ＳＤＨ（Synchronous Digital Hierarchy）やイーサネット（登録商標）などの様々な規格によるクライアント信号を収容して転送する。近年では、クライアント信号のトラヒックの増加が顕著であり、それに伴いＯＴＮも高速化に対応するよう標準化が進められてきた（例えば、非特許文献１参照）。そして現在では、１００Ｇ超（Ｂ１００Ｇ、Ｇはギガビット毎秒）のＯＴＮ技術であるＯＴＵＣｎ（Optical channel Transport Unit-Cn：Ｃｎは１００Ｇ×ｎを表す。）が検討されている（例えば、非特許文献２参照）。ＯＴＵＣｎでは、１光チャネルの伝送容量が従来のＯＴＵよりも広帯域となる。しかし、光信号の送受信機に用いられる電子回路の動作速度の関係から、これまでのように１光チャネルの帯域においてシングルキャリア伝送を拡張して大容量化を図ることは困難である。そこで、ＯＴＵＣｎでは、１光チャネルの帯域において複数の光サブキャリアを用いたマルチキャリア伝送によって大容量化を実現する。
【先行技術文献】
【非特許文献】
【０００３】
【非特許文献１】"Interfaces for the optical transport network", ITU-T G.709/Y.1331, February 2012.
【非特許文献２】大原  拓也，「ＯＴＮインタフェース技術および標準化動向」，２０１４  電子情報通信学会総合大会  通信講演論文集２，ＢＩ−５−１，ＳＳ−４７−ＳＳ−４８，２０１４年３月
【発明の概要】
【発明が解決しようとする課題】
【０００４】
ＯＴＵＣｎで用いられるフレーマは、複数のクライアント信号を１つのＯＤＵＣｎ（ＯＤＵ：Optical Channel Data Unit）に多重して設定する。フレーマは、クライアント信号が設定されたＯＤＵＣｎからペイロード容量がｎ×１００ＧのＯＴＵＣｎ（Optical channel Transport Unit-Cn）の電気信号を生成する。フレーマは、生成したＯＴＵＣｎの電気信号をインタリーブしてペイロード容量が１００Ｇのパラレル信号であるＯＴＬＣｎ．ｎ（Optical channel Transport Lane-Cn.n）をｎ個生成する。フレーマが生成した１光チャネル分のｎ個のパラレル信号は、複数の光波長のそれぞれを利用する光サブキャリアによりマルチキャリア伝送される。この複数の光波長の一部に障害が発生した場合、障害が発生した光波長を用いて伝送される高優先度のクライアント信号が伝送できなくなる可能性がある。【０００５】
上記事情に鑑み、本発明は、複数のクライアント信号を複数のパラレル信号によりマルチキャリア伝送する場合に、一部の光波長の障害等が発生した場合でも伝送優先度に従った伝送を行うことができるフレーマ、及びフレーミング方法を提供することを目的としている。
【課題を解決するための手段】
【０００６】
本発明の一態様にかかるフレーマは、伝送優先度をそれぞれ有する複数の論理パスに光チャネルの複数のタイムスロットを割り当て、前記複数の論理パスにより受信した複数のクライアント信号を前記複数の論理パスに割り当てられている前記複数のタイムスロットに割り当て、前記複数のタイムスロットに対応付けられた複数の光波長を用いた複数の光サブキャリアにより前記複数のクライアント信号を伝送する伝送装置におけるフレーマであって、高い伝送優先度を有する論理パスに割り当てられているタイムスロットに対応する光波長を使用しない場合、前記使用しない光波長に対応した前記タイムスロットを避けて前記高い伝送優先度を有する論理パスに前記複数のタイムスロットの少なくとも一つを割り当てることにより、前記高い伝送優先度を有する論理パスに割り当てられている前記タイムスロットを変更するタイムスロット割り当て部を備えるフレーマである。【０００７】
上述したフレーマにおいて、前記タイムスロット割り当て部は、前記使用しない光波長に対応した前記タイムスロットに割り当てられている前記論理パスと、前記使用しない光波長に対応した前記タイムスロットに割り当てられている前記論理パスよりも伝送優先度が低く、かつ、前記複数の光波長のうち正常な光波長に対応したタイムスロットに割り当てられている論理パスとの間で割り当て先のタイムスロットを入れ替えるようにタイムスロットの再割り当てを行ってもよい。【０００８】
上述したフレーマにおいて、前記タイムスロット割り当て部は、前記使用しない光波長に対応した前記タイムスロットに割り当てられている前記論理パスの割り当て先を、前記複数の光波長のうち正常な光波長に対応し、かつ、論理パスが割り当てられていないタイムスロットに変更してもよい。
上述したフレーマにおいて、前記タイムスロット割り当て部は、前記使用しない光波長に対応した前記使用しないタイムスロットに割り当てられている前記論理パスの割り当て先を、前記複数の光波長のうち正常な光波長に対応し、論理パスが割り当てられておらず、かつ使用不可に設定されていないタイムスロットに変更してもよい。【０００９】
本発明の一態様にかかるフレーミング方法は、伝送優先度をそれぞれ有する複数の論理パスに光チャネルの複数のタイムスロットを割り当て、前記複数の論理パスにより受信した複数のクライアント信号を前記複数の論理パスに割り当てられている前記複数のタイムスロットに割り当て、前記複数のタイムスロットに対応付けられた複数の光波長を用いた複数の光サブキャリアにより前記複数のクライアント信号を伝送する伝送装置におけるフレーマが行うフレーミング方法であって、高い伝送優先度を有する論理パスに割り当てられているタイムスロットに対応する光波長を使用しない場合、前記使用しない光波長に対応した前記タイムスロットを避けて前記高い伝送優先度を有する論理パスに前記複数のタイムスロットの少なくとも一つを割り当てることにより、前記高い伝送優先度を有する論理パスに割り当てられている前記タイムスロットを変更するタイムスロット割り当てステップを有するフレーミング方法である。【００１０】
上述したフレーミング方法において、前記タイムスロット割り当てステップは、前記使用しない光波長に対応した前記タイムスロットに割り当てられている前記論理パスと、前記使用しない光波長に対応した前記タイムスロットに割り当てられている前記論理パスよりも伝送優先度が低く、かつ、前記複数の光波長のうち正常な光波長に対応したタイムスロットに割り当てられている前記論理パスとの間で割り当て先のタイムスロットを入れ替えるようにタイムスロットの再割り当てを行うことを有していてもよい。【００１１】
上述したフレーミング方法において、前記タイムスロット割り当てステップは、前記使用しない光波長に対応した前記タイムスロットに割り当てられている前記論理パスの割り当て先を、前記複数の光波長のうち正常な光波長に対応し、かつ、論理パスが割り当てられていないタイムスロットに変更することを有していてもよい。
上述したフレーミング方法において、前記タイムスロット割り当てステップは、前記使用しない光波長に対応した前記タイムスロットに割り当てられている前記論理パスの割り当て先を、前記複数の光波長のうち正常な光波長に対応し、論理パスが割り当てられておらず、かつ、使用不可に設定されていないタイムスロットに変更することを有していてもよい。
【発明の効果】
【００１２】
本発明により、複数のクライアント信号を複数のパラレル信号によりマルチキャリア伝送する場合に、一部の光波長を使用しない場合でも伝送優先度に従った伝送を行うことができる。
【図面の簡単な説明】
【００１３】
【図１】本発明の実施形態に係るフレーマを示すブロック図である。
【図２】本実施形態におけるＯＴＵＣｎのフレーム構造を示す図である。
【図３】本実施形態におけるＯＴＬＣｎ．ｎのフレーム構造を示す図である。
【図４Ａ】光信号の伝送に用いられる光チャネルの一例を示す図である。
【図４Ｂ】光信号の伝送に用いられる光チャネルの他の例を示す図である。
【図４Ｃ】光信号の伝送に用いられる光チャネルの他の例を示す図である。
【図４Ｄ】光信号の伝送に用いられる光チャネルの他の例を示す図である。
【図５】本発明の一実施形態による光チャネル伝送システムの構成を示すブロック図である。
【図６】図５に示す伝送フレーム多重処理制御部を示すブロック図である。
【図７】本実施形態における伝送フレームのタイムスロットの構成を示す図である。
【図８】本実施形態におけるタイムスロット割り当て管理テーブルのテーブル構造を示す図である。
【図９】図６に示す障害情報受信部が受信する障害タイムスロットリストを示す図である。
【図１０】図６に示すリスト生成部が生成する障害論理パスＩＤリストの構成を示す図である。
【図１１】図６に示すリスト生成部が生成する未割り当て正常タイムスロットＩＤリストの構成を示す図である。
【図１２】図６に示すリスト生成部が生成する正常論理パスＩＤリストの構成を示す図である。
【図１３】図６に示す伝送フレーム多重処理制御部の処理動作を示すフローチャートである。
【図１４】本実施形態における論理パストラヒックのタイムスロットへのマッピング処理を示す図である。
【図１５】本実施形態における論理パストラヒックのタイムスロットへのマッピング処理の他の例を示す図である。
【図１６】本実施形態における論理パストラヒックのタイムスロットへのマッピング処理のさらに他の例を示す図である。
【発明を実施するための形態】
【００１４】
以下、図面を参照して本発明の実施形態を説明する。
図１は、本発明の実施形態を適用可能なＯＴＮフレーマ８００の機能ブロック図である。ＯＴＮフレーマ８００は、１００Ｇ超（Ｂ１００Ｇ、Ｇはギガビット毎秒）の伝送を行うためのＯＴＮ（Optical Transport Network）の規格であるＯＴＵＣｎ（Ｃｎは１００Ｇ×ｎを表す。ｎは２以上の整数。）により通信を行う。図１においては、ｎ＝４の場合、すなわち、ＯＴＮフレーマ８００がＯＴＵＣ４により通信を行う場合の例を示している。
【００１５】
ＯＴＮトランスポート技術では、様々な通信方式によるクライアント信号を収容し、光伝送により転送する。ＯＴＮでは、固定フレーム構造を利用し、ＧｂＥ（ギガビット・イーサネット（登録商標））を収容できる最小単位のＯＤＵ０（ＯＤＵ：Optical Channel Data Unit）により、１．２５ＧのＴＳ（Tributary Slot、タイムスロットともいう。）単位で（すなわち、その倍数により）クライアント信号を扱う。ＯＴＮは、ＳＤＨ（Synchronous Digital Hierarchy）と同様のパス管理、ＯＡＭ（Operations, Administration, Maintenance）機能、プロテクション機能を提供する。
【００１６】
ＯＴＮフレーマ８００は、複数のクライアント信号が多重されたｎ×１００Ｇの１光チャネルの信号を分離し、ｎ個の１００Ｇのパラレル信号を生成する。これらのｎ個のパラレル信号は複数の光サブキャリアによりマルチキャリア伝送されるが、物理的には、１つのパラレル信号が１つの光サブキャリアにより伝送されてもよく、複数のパラレル信号が１つの光サブキャリアにより伝送されてもよい。マルチキャリア伝送とは、１チャネルの信号を複数のサブキャリア（搬送波）を使ってパラレル伝送することにより、１チャネルを大容量化する通信方式である。マルチキャリア伝送では、対地（接続先）ごとにサブキャリアを高密度多重し、電気的に分離する。１つのパラレル信号が１つの光サブキャリアにより伝送される場合、その光サブキャリアの帯域は１００Ｇであり、２つのパラレル信号が１つの光サブキャリアにより伝送される場合、その光サブキャリアの帯域は２００Ｇである。光伝送には、４ＳＣ−ＤＰ−ＱＰＳＫ（4 Subcarrier-Dual Polarization-Quadrature Phase Shift Keying）や、２ＳＣ−ＤＰ−１６ＱＡＭ（2 Subcarrier-Dual Polarization-Quadrature Amplitude Modulation）などの通信方式が用いられる。
【００１７】
図１に示すように、ＯＴＮフレーマ８００は、送信処理部１１０と受信処理部１５０とを備える。
送信処理部１１０は、クライアント信号受信部１２０と、多重処理部１３０と、ライン側送信処理部１４０とを備える。
【００１８】
クライアント信号受信部１２０は、受信部１２１と、マッピング部１２２と、ＯＨ処理部１２３とを備える。
受信部１２１は、クライアント信号を受信する。マッピング部１２２は、受信部１２１が受信した１クライアント信号をＬＯ  ＯＤＵ（Lower Order Optical Channel Data Unit）フレームのペイロードにマッピングする。ＯＨ処理部１２３は、マッピング部１２２がクライアント信号を設定したＬＯ  ＯＤＵフレームにＯＨ（オーバーヘッド）を付加する。ＯＨ処理部１２３は、ＬＯ  ＯＤＵフレームの電気パス信号を、ＯＤＵ−スイッチ（以下、「ＯＤＵ−ＳＷ」と記載）２１０に出力する。ＯＤＵ−ＳＷ２１０は、他のＯＴＮフレーマ８００とも接続されており、電気パス信号のパス交換を行う。
【００１９】
多重処理部１３０は、多重化部１３１とフレーミング部１３２とを備える。多重化部１３１は、ＯＤＵ−ＳＷ２１０から受信した電気パス信号をＬＯ  ＯＤＵフレームに設定する。多重化部１３１は、ＬＯ  ＯＤＵフレームを一旦ＯＤＴＵ（Optical Channel Data Tributary Unit）フレームにマッピングした後、複数のＯＤＴＵフレームを時間多重してＨＯ  ＯＤＵ（Higher Order ODU）であるＯＤＵＣｎフレームを生成する。フレーミング部１３２は、多重化部１３１が生成したＯＤＵＣｎフレームにＯＨとＦＥＣ（Forward Error Correction：前方誤り訂正）を付加してＯＴＵＣｎフレームを生成する。フレーミング部１３２は、ＯＴＵＣｎフレームの信号をライン側送信処理部１４０に出力する。
【００２０】
ライン側送信処理部１４０は、インタリーブ部１４１と、ＯＨ処理部１４２−１〜１４２−ｎと、マルチレーン送信部１４３−１〜１４３−ｎとを備える（図１に示す例では、上述のように、「ｎ＝４」である）。
インタリーブ部１４１は、多重処理部１３０からＯＴＵＣｎフレームの信号を受信し、受信したｎ×１００ＧのＯＴＵＣｎフレームの信号をバイトインタリーブして、ｎ個のＯＴＬＣｎ．ｎフレームの信号を生成する。ＯＴＬＣｎ．ｎフレームは、１００Ｇのパラレル信号のフレームである。ｉ個目のＯＴＬＣｎ．ｎフレームを、ＯＴＬＣｎ．ｎ＃ｉフレーム（ｉは１以上ｎ以下の整数）と記載する。インタリーブ部１４１は、生成したｎ個のＯＴＬＣｎ．ｎ＃ｉフレームをそれぞれＯＨ処理部１４２−ｉに出力する。
【００２１】
ＯＨ処理部１４２−１〜１４２−ｎは、インタリーブ部１４１から受信したＯＴＬＣｎ．ｎフレームにＯＨを設定する。ＯＨ処理部１４２−ｉは、ＯＨを設定したＯＴＬＣｎ．ｎ＃ｉフレームを、マルチレーン送信部１４３−ｉに出力する。
マルチレーン送信部１４３−１〜１４３−ｎは、ＯＨ処理部１４２−１〜１４２−ｎから受信したＯＴＬＣｎ．ｎフレームのパラレル信号を送信機２２０に出力する。例えば、マルチレーン送信部１４３−ｉは、４本の２８Ｇの電気配線を使用してパラレルにＯＴＬＣｎ．ｎ＃ｉフレームのパラレル信号を送信機２２０に出力する。各送信機２２０は、それぞれ異なる光周波数の光サブキャリアを使用する。送信機２２０は、受信したパラレル信号を電気信号から光信号に変換し、マルチキャリア伝送する。なお、複数のマルチレーン送信部１４３−ｉが１つの送信機２２０に接続されてもよい。ｊ個（ｊは２以上ｎ以下の整数）のマルチレーン送信部１４３−ｉが１つの送信機２２０に接続される場合、その送信機２２０は、ｊ×１００Ｇの光サブキャリアによりｊ個のパラレル信号を伝送する。
【００２２】
受信処理部１５０は、ライン側受信処理部１６０と、分離処理部１７０と、クライアント信号送信部１８０とを備える。
【００２３】
ライン側受信処理部１６０は、マルチレーン受信部１６１−１〜１６１−ｎと、ＯＨ処理部１６２−１〜１６２−ｎと、デインタリーブ部１６３とを備える。
マルチレーン受信部１６１−１〜１６１−ｎは、受信機２３０がマルチキャリア伝送により受信した光信号を変換することにより得らえた電気信号を受信する。受信機２３０は、それぞれ異なる光周波数の光サブキャリアにより光信号を受信する。マルチレーン受信部１６１−ｉは、例えば４本の２８Ｇの電気配線を使用して受信機２３０からパラレルに受信した電気信号を、ＯＨ処理部１６２−ｉに出力する。
【００２４】
ＯＨ処理部１６２−１〜１６２−ｎは、受信した信号からＯＴＬＣｎ．ｎフレームのＯＨに設定されているＦＡＳ（frame alignment signal）やＭＦＡＳ（multiframe alignment signal）に基づいてフレームの先頭を認識する。ＯＨ処理部１６２−ｉは、先頭位置を検出することにより、遅延時間差を補償して受信信号からＯＴＬＣｎ．ｎ＃ｉフレームを抽出し、デインタリーブ部１６３に出力する。
デインタリーブ部１６３は、ＯＨ処理部１６２−１〜１６２−ｎから受信したＯＴＬＣｎ．ｎ＃１フレーム〜ＯＴＬＣｎ．ｎ＃ｎフレームをデインタリーブし、１つのＯＴＵＣｎフレームを生成する。
【００２５】
分離処理部１７０は、デフレーミング部１７１及び逆多重化部１７２を備える。
デフレーミング部１７１は、デインタリーブ部１６３が生成したＯＴＵＣｎフレームの信号をＦＥＣ復号し、復号したＯＴＵＣｎフレームからＬＯ  ＯＤＵフレームが時間多重されたＯＤＵＣｎフレームを抽出して逆多重化部１７２に出力する。
逆多重化部１７２は、デフレーミング部１７１が抽出したＯＤＵＣｎフレームの信号から各クライアント信号が設定されたＬＯ  ＯＤＵフレームを抽出し、ＬＯ  ＯＤＵフレームの電気パス信号をＯＤＵ−ＳＷ２１０に出力する。
【００２６】
クライアント信号送信部１８０は、ＯＨ処理部１８１と、デマッピング部１８２と、送信部１８３とを備える。
ＯＨ処理部１８１は、ＯＤＵ−ＳＷ２１０から電気パス信号を受信し、受信した電気パス信号からＬＯ  ＯＤＵフレームを復号する。ＯＨ処理部１８１は、ＬＯ  ＯＤＵフレームに対してＯＨに関する処理を行い、デマッピング部１８２に出力する。
デマッピング部１８２は、ＯＨ処理部１８１からＬＯ  ＯＤＵフレームの電気パス信号を受信し、受信した電気パス信号からクライアント信号を抽出して送信部１８３に出力する。
送信部１８３は、デマッピング部１８２が抽出したクライアント信号を送信する。
【００２７】
なお、クライアント信号受信部１２０と多重処理部１３０とは、ＯＤＵ−ＳＷ２１０を介さずに直接接続されてもよい。同様に、分離処理部１７０とクライアント信号送信部１８０とは、ＯＤＵ−ＳＷ２１０を介さずに直接接続されてもよい。
【００２８】
図２は、ＯＴＵＣｎのフレーム構造を示す図である。
ＯＴＵＣｎは、ＯＤＵＣｎに、ＦＡＣｎ  ＯＨ、ＯＴＵＣｎ  ＯＨ、ＯＰＵＣｎ  ＯＨ、及び、ＯＴＵＣｎＦＥＣを付加して生成される。ＯＴＵＣｎは、４行、４０８０×ｎ列で標記される。
ＯＴＵＣｎの（１６×ｎ＋１）〜３８２４×ｎ列目のＯＰＵＣｎペイロード（Payload）には、クライアント信号がマッピングされる。ＯＴＵＣｎフレームの１〜１６×ｎ列目には、ＯＨが設定される。１行目の１〜７×ｎ列目には、ＦＡＣｎ  ＯＨが設定される。ＦＡＣｎ  ＯＨは、フレーム同期に必要な情報を含む。
（７×ｎ＋１）〜１４×ｎ列目には光チャネルのセクション監視情報を収容するＯＴＵＣｎ  ＯＨが挿入される。２〜４行目の１〜１４×ｎ列目には、ＯＤＵＣｎ  ＯＨが挿入され、光チャネルのパス管理運用情報を収容する。（１４×ｎ＋１）〜１６×ｎ列目には、ＯＰＵＣｎ  ＯＨが挿入され、クライアント信号のマッピング／デマッピングに必要な情報などが収容される。３８２４×ｎ＋１〜４０８０×ｎ列目のＯＴＵＣｎ  ＦＥＣには、ＦＥＣ用のパリティチェックバイトが付加される。なお、このＯＴＵＣｎフレームのＦＥＣは、省略しても良い。また、ＯＴＵＣｎ  ＦＥＣ領域は、３８２４×ｎ＋１〜４０８０×ｎ列目の領域に限らず、任意のバイト数からなる領域に変更しても良い。
【００２９】
図３は、ＯＴＬＣｎ．ｎのフレーム構造を示す図である。
ＯＴＬＣｎ．ｎは、４行、４０８０列で標記される。ＯＴＬＣｎ．ｎ＃１〜ＯＴＬＣｎ．ｎ＃ｎは、バイトインタリーブによりＯＴＵＣｎフレームを分割して得られる。
ＯＴＵＣｎのＯＰＵＣｎペイロードは、ＯＴＬＣｎ．ｎ＃ｉの１７〜３８２４列目のＯＰＬＣｎ．ｎ＃ｉペイロードにマッピングされる。
ＯＴＬＣｎ．ｎ＃ｉの１〜１６列目には、ＯＨが設定される。ＯＴＬＣｎ．ｎ＃ｉのＯＨは、ＯＴＵＣｎ  ＯＨ等に基づいて設定される。１行目の１〜７列目には、ＦＡＬＣｎ．ｎ＃ｉ  ＯＨが設定される。ＦＡＬＣｎ．ｎ＃ｉ  ＯＨは、ＦＡＳやＭＦＡＳなど、フレーム同期に必要な情報を含む。１行目の８〜１４列目には、光チャネルのセクション監視情報を収容するＯＴＬＣｎ．ｎ＃ｉ  ＯＨが挿入される。２〜４行目の１〜１４列目には、ＯＤＬＣｎ．ｎ＃ｉ  ＯＨが挿入され、光チャネルのパス管理運用情報を収容する。１５〜１６列目には、ＯＰＬＣｎ．ｎ＃ｉ  ＯＨが挿入され、クライアント信号のマッピング／デマッピングに必要な情報などが収容される。３８２５〜４０８０列目のＯＴＬＣｎ．ｎ＃ｉ  ＦＥＣには、ＦＥＣ用のパリティチェックバイトが付加される。なお、このＯＴＬＣｎ．ｎフレームのＦＥＣは、省略しても良い。また、ＯＴＬＣｎ．ｎ＃ｉ  ＦＥＣ領域は、３８２５〜４０８０列目の領域に限らず、任意のバイト数からなる領域に変更しても良い。
【００３０】
図４Ａ〜４Ｄは、光信号の伝送に用いられる光チャネルを示す図である。
図４Ａは、４００Ｇの光信号を１光周波数（シングルキャリア）によりシリアル伝送する場合の光チャネルを示す図である。図４Ｂは、４００Ｇの光信号を４つの光サブキャリアによりパラレル伝送（マルチキャリア伝送）する場合の光チャネルを示す図である。
従来の電子回路では、動作速度の制約から、図４Ａに示すように、１光周波数によりシリアル伝送することができる帯域を、１００Ｇを超えて拡張し続けていくことは困難である。そこでＯＴＵＣｎでは、１００Ｇ超の帯域を複数の光サブキャリアによりパラレル伝送することにより、電子回路の制約を受けずに広帯域伝送を実現する。このパラレル伝送には、偏波多重、多値変調などが用いられる。変調方式によって、光サブキャリアの帯域は異なる。
図４Ｂは、４００Ｇの１光チャネルを、１００Ｇの４光サブキャリアによりパラレル伝送した場合の例である。図４Ｃは、４００Ｇの１光チャネルを、２００Ｇの２光サブキャリアによりパラレル伝送した場合の例である。また、ｎを変化させることにより、図４Ｄに示すように、１００Ｇ単位で伝送帯域を増加させていくことができるフレキシビリティを有する。
【００３１】
次に、図５を参照して、本発明の一実施形態による光チャネル伝送システムを説明する。図５は、本実施形態による光チャネル伝送システムの構成を示すブロック図である。光チャネル伝送システムは、図５に示すように、送信側の光伝送装置１と受信側の光伝送装置２とから構成される。光伝送装置１は送信部１０を備える。光伝送装置２は受信部２０を備える。図５に示す例においては、光伝送装置１は、送信部１０を１つのみ備えている。しかしながら、本実施形態はこのような構成に限定されない。光伝送装置１は、それぞれ異なる光チャネルを用いる送信部１０を複数備え得る。また、光伝送装置２は、受信部２０を１つのみ備えているが、本実施形態はこのような構成に限定されない。光伝送装置２は、送信部１０と同じ光チャネルのそれぞれに対応した受信部２０を複数備え得る。
【００３２】
送信部１０は、フレーマと送信機により構成され、クライアント信号受信部１１−１〜１１−４、伝送フレーム多重処理部１２、伝送フレーム送信部１３、伝送フレーム送信障害監視部１４、伝送フレーム多重処理制御部１５を備える。受信部２０は、受信機とフレーマにより構成され、伝送フレーム受信部２１、伝送フレーム逆多重処理部２２、クライアント信号送信部２３−１〜２３−４、伝送フレーム受信障害監視部２４、伝送フレーム逆多重処理制御部２５を備える。送信部１０と受信部２０との間は、光チャネルを伝送する伝送路３によって接続されている。
【００３３】
クライアント信号受信部１１−１〜１１−４はそれぞれ、図１のクライアント信号受信部１２０と同様の機能を有する。クライアント信号受信部１１−１〜１１−４は、イーサネット（登録商標）等のクライアント信号を受信して論理パストラヒックを生成し、伝送フレーム多重処理部１２に対して論理パストラヒックを送信する。論理パストラヒックは、ＬＯ  ＯＤＵフレームに設定されたクライアント信号である。クライアント信号から論理パストラヒックの生成は、例えばイーサネット（登録商標）のＶＬＡＮ（Virtual Local Area Network）タグに基づく振り分け等により実施する。図５に示す例では、クライアント信号受信部１１−１は、１００Ｇｂｐｓ（ギガビット毎秒）のクライアント信号＃１を受信する。そして、クライアント信号受信部１１−１は、２つの５０Ｇｂｐｓの論理パス＃１、＃２を生成する。各論理パスには伝送優先度（以下、「優先度」と記載する。）が付与される。論理パス＃１には、優先度：「高」が付与され、論理パス＃２には、優先度：「低」が付与される。
【００３４】
同様に、クライアント信号受信部１１−２は、２００Ｇｂｐｓのクライアント信号＃２を受信する。そして、クライアント信号受信部１１−２は、２００Ｇｂｐｓの論理パス＃３を生成する。また、論理パス＃３には、優先度：「高」が付与される。クライアント信号受信部１１−３は、１００Ｇｂｐｓのクライアント信号＃３を受信する。そして、クライアント信号受信部１１−３は、１００Ｇｂｐｓの論理パス＃４を生成する。また、論理パス＃４には、優先度：「低」が付与される。クライアント信号受信部１１−４は、１００Ｇｂｐｓのクライアント信号＃４を受信する。そして、クライアント信号受信部１１−４は、１００Ｇｂｐｓの論理パス＃５を生成する。また、論理パス＃５には、優先度：「高」が付与される。なお、論理パス＃ｋは、論理パスのＩＤが「＃ｋ」の論理パスである。
【００３５】
伝送フレーム多重処理部１２は、図１の多重化部１３１と同様の機能を有する。伝送フレーム多重処理部１２は、受信した複数の論理パストラヒックを多重して、光チャネルを構成する伝送フレームであるＯＤＵＣｎを生成する。伝送フレーム多重処理部１２は、生成した伝送フレームを伝送フレーム送信部１３へ送信する。光チャネルは、時分割多重により複数のタイムスロットに分割されている。タイムスロットに各論理パストラヒックを割り当てることにより、複数の論理パストラヒックの多重を実現する。その実現例は、ＩＴＵ−Ｔ（International Telecommunication Union Telecommunication Standardization Sector）  Ｇ．７０９に規定されたＯＤＴＵフレームを用いたＯＤＵ多重方式である。
【００３６】
伝送フレーム送信部１３は、図１のフレーミング部１３２、ライン側送信処理部１４０及び送信機２２０と同様の機能を有する。伝送フレーム送信部１３は、受信した伝送フレームを伝送フレームＯＴＬＣｎ．ｎ＃１〜＃ｎに分割する。さらに、伝送フレーム送信部１３は、複数の光サブキャリアを用いたマルチキャリア伝送のため、伝送フレームＯＴＬＣｎ．ｎ＃１〜＃ｎのパラレル信号を複数の光波長により伝送路３に対して送信する。タイムスロット単位に光送信に用いる光サブキャリアの光波長があらかじめ決められる。光波長＃１では、伝送フレームＯＴＬＣｎ．ｎ＃１、伝送フレームＯＴＬＣｎ．ｎ＃２、伝送フレームＯＴＬＣｎ．ｎ＃３、伝送フレームＯＴＬＣｎ．ｎ＃４、伝送フレームＯＴＬＣｎ．ｎ＃５のパラレル信号を伝送路３に対して送信する。
【００３７】
伝送フレーム受信部２１は、図１の受信機２３０、ライン側受信処理部１６０、及びデフレーミング部１７１と同様の機能を有する。伝送フレーム受信部２１は、伝送フレーム送信部１３と逆向きの動作を行うことによって伝送フレームを復元して伝送フレーム逆多重処理部２２へ出力する。
【００３８】
伝送フレーム逆多重処理部２２は、図１の逆多重化部１７２と同様の機能を有する。伝送フレーム逆多重処理部２２は、伝送フレーム多重処理部１２と逆向きの動作を行うことによって論理パス＃１〜＃５によりクライアント信号を出力する。伝送フレーム逆多重処理部２２は、５０Ｇｂｐｓの論理パス＃１と５０Ｇｂｐｓの論理パス＃２を、クライアント信号送信部２３−１に対して出力する。伝送フレーム逆多重処理部２２は、２００Ｇｂｐｓの論理パス＃３を、クライアント信号送信部２３−２に対して出力する。伝送フレーム逆多重処理部２２は、１００Ｇｂｐｓの論理パス＃４を、クライアント信号送信部２３−３に対して出力する。伝送フレーム逆多重処理部２２は、１００Ｇｂｐｓの論理パス＃５を、クライアント信号送信部２３−４に対して出力する。
【００３９】
クライアント信号送信部２３−１〜２３−４は、図１のクライアント信号送信部１８０と同様の機能を有する。クライアント信号送信部２３−１は、２つの５０Ｇｂｐｓの論理パス＃１、＃２の入力を受け、クライアント信号受信部１１−１と逆向きの動作によって１００Ｇｂｐｓのクライアント信号＃１を出力する。クライアント信号送信部２３−２は、２００Ｇｂｐｓの論理パス＃３の入力を受け、クライアント信号受信部１１−２と逆向きの動作によって２００Ｇｂｐｓのクライアント信号＃２を出力する。クライアント信号送信部２３−３は、１００Ｇｂｐｓの論理パス＃４の入力を受け、クライアント信号受信部１１−３と逆向きの動作によって１００Ｇｂｐｓのクライアント信号＃３を出力する。クライアント信号送信部２３−４は、１００Ｇｂｐｓの論理パス＃５の入力を受け、クライアント信号受信部１１−４と逆向きの動作によって１００Ｇｂｐｓのクライアント信号＃４を出力する。
【００４０】
伝送フレーム受信障害監視部２４は、伝送フレーム受信部２１の障害を監視し、受信した光波長に障害が発生したことを検出した場合、障害情報を伝送フレーム送信障害監視部１４に通知する。
例えば、伝送フレーム受信障害監視部２４は、特定の光波長の信号が受信できない場合、その光波長に障害が発生したことを検出する。また、例えば、伝送フレーム受信障害監視部２４は、物理ポートに障害が発生したことを検出した場合、その物理ポートが受信に使用する光波長に障害が発生したことを検出する。障害情報は、光波長の障害の影響を受けるタイムスロットである障害タイムスロットを示す。
【００４１】
伝送フレーム送信障害監視部１４は、伝送フレーム送信部１３の障害を監視し、送信した光波長に障害が発生したことを検出した場合、その光波長の障害の影響を受ける障害タイムスロットを示す障害情報を伝送フレーム多重処理制御部１５に通知する。例えば、伝送フレーム送信障害監視部１４は、物理ポートに障害が発生したことを検出した場合、その物理ポートが送信に使用する光波長に障害が発生したことを検出する。また、伝送フレーム受信障害監視部２４からの障害情報を受信した場合、この障害情報を伝送フレーム多重処理制御部１５に通知する。これにより、伝送フレーム多重処理制御部１５は、伝送フレーム送信部１３および伝送フレーム受信部２１のいずれかで光波長に障害が発生したことを検出された場合に、その光波長の障害による影響を受ける障害タイムスロットの情報を取得することができる。
【００４２】
伝送フレーム多重処理制御部１５は、どのタイムスロットへどの論理パストラヒックをマッピングするかを伝送フレーム多重処理部１２に対して指示する。また、伝送フレーム多重処理制御部１５は、その情報を伝送フレーム逆多重処理制御部２５に通知する。伝送フレーム多重処理制御部１５は、障害タイムスロットを示す障害情報を伝送フレーム送信障害監視部１４から受信すると、その障害情報に基づいて論理パストラヒックのタイムスロットへのマッピング状態を変更する。伝送フレーム多重処理制御部１５は、その変更の内容を伝送フレーム多重処理部１２に対して指示するとともに、その変更の内容を示す情報を伝送フレーム逆多重処理制御部２５にも通知する。
【００４３】
伝送フレーム逆多重処理制御部２５は、伝送フレーム多重処理制御部１５から受信した情報に基づき、どのタイムスロットにどの論理パストラヒックがマッピングされているかを伝送フレーム逆多重処理部２２に対して通知する。
【００４４】
次に、図６を参照して、図５に示す伝送フレーム多重処理制御部１５の詳細な構成を説明する。図６は、図５に示す伝送フレーム多重処理制御部１５の詳細な構成を示すブロック図である。図６に示すように、伝送フレーム多重処理制御部１５は、タイムスロット割り当て管理テーブル記憶部５１と、障害情報受信部５２と、リスト生成部５３と、タイムスロット割り当て部５４と、割り当て情報送信部５５とを備える。
【００４５】
タイムスロット割り当て管理テーブル記憶部５１は、論理パスのタイムスロットへの割当状況を管理するタイムスロット割り当て管理テーブルを記憶する。障害情報受信部５２は、伝送フレーム送信障害監視部１４または伝送フレーム受信障害監視部２４から送信された障害情報を受信する。リスト生成部５３は、収集した情報からタイムスロットへの割り当てを行うために必要なリスト情報を生成する。タイムスロット割り当て部５４は、リスト生成部５３が生成したリスト情報を参照して、タイムスロットへのマッピング状態を変更することによりタイムスロットの割り当てを行う。さらに、タイムスロット割り当て部５４は、割り当てを行った結果に基づいて、タイムスロット割り当て管理テーブル記憶部５１に記憶されているタイムスロット割り当て管理テーブルを更新する。割り当て情報送信部５５は、タイムスロットへのマッピング状態の情報を伝送フレーム多重処理部１２と伝送フレーム逆多重処理制御部２５へ送信する。
【００４６】
次に、図７を参照して、伝送フレーム（ＯＤＵＣｎ）のタイムスロットの構成を説明する。図７は、伝送フレームのタイムスロットの構成を示す図である。ここでは、光チャネル＃１の全体で５００Ｇｂｐｓの帯域（データ転送レート）を有している場合について説明する。図７では、簡単のため、１００Ｇｂｐｓを１０個のタイムスロットで表している。
図７に示す最小の矩形がタイムスロットを示す。各タイムスロットには、１〜５０のタイムスロットＩＤが付与されている。そして、タイムスロットＩＤが１〜１０のタイムスロットが光波長＃１に割り当てられている。同様に、タイムスロットＩＤが１１〜２０のタイムスロットが光波長＃２に割り当てられている。また、タイムスロットＩＤが２１〜３０のタイムスロットが光波長＃３に割り当てられている。また、タイムスロットＩＤが３１〜４０のタイムスロットが光波長＃４に割り当てられている。また、タイムスロットＩＤが４１〜５０のタイムスロットが光波長＃５に割り当てられている。光波長＃ｉに割り当てられているタイムスロットにマッピングされたクライアント信号は、伝送フレームＯＴＬＣｎ．ｎ＃ｉのパラレル信号により、光波長＃ｉの光サブキャリアにより伝送される。なお、図７に示すタイムスロットは、スロット数が５０である例を示したが、スロット数は、これに限定されない。タイムスロット数は、５０を超えてもよい。
タイムスロットへの分割は、光チャネル毎に行われる。
【００４７】
次に、図８を参照して、図６に示すタイムスロット割り当て管理テーブル記憶部５１に記憶されるタイムスロット割り当て管理テーブルのテーブル構造を説明する。図８は、タイムスロット割り当て管理テーブルのテーブル構造を示す図である。ここでは、光チャネル＃１の全体で５００Ｇｂｐｓの帯域（データ転送レート）を有している場合について説明する。タイムスロット割り当て管理テーブルは、「論理パスＩＤ」、「優先度」、「伝送帯域」、及び「割り当てタイムスロットＩＤ」のフィールドが関係付けされたレコードからなるデータである。「論理パスＩＤ」のフィールドには、論理パスのＩＤが記憶される。「優先度」のフィールドには、関係付けされている論理パスの優先度が記憶される。優先度には、優先度が高いことを示す「高」と、優先度が低いことを示す「低」のいずれかが記憶される。「伝送帯域」のフィールドには、関係付けされている論理パスの伝送帯域の値が記憶される。「割り当てタイムスロットＩＤ」のフィールドには、関係付けされている論理パスが割り当てられているタイムスロットのＩＤ（この例では、ＩＤ１〜５０）が記憶されている。論理パスは、タイムスロット割り当て部５４によって、その論理パスの帯域に応じた数のタイムスロットに割り当てられる。「割り当てタイムスロットＩＤ」のフィールドには、割り当てが行われていないタイムスロットのＩＤは記憶されない。
【００４８】
次に、図９を参照して、図６に示す障害情報受信部５２が受信する障害タイムスロットリストの構成を説明する。図９は、図６に示す障害情報受信部５２が受信する障害タイムスロットリストの構成を示す図である。障害タイムスロットリストは、伝送フレーム送信障害監視部１４または伝送フレーム受信障害監視部２４から送信される障害情報の一例であり、光波長の障害の影響を受けるタイムスロットである障害タイムスロットのタイムスロットＩＤを記載したリスト情報である。図９に示す例ではタイムスロットのＩＤが、２１、２２、２３、２４、２５、２６、２７、２８、２９、３０のタイムスロットに障害があることを示している。障害のあるタイムスロットは、障害が発生した光波長に対応したタイムスロットである。障害が発生した光波長とは、使用しない光波長の一例である。
【００４９】
次に、図１０を参照して、図６に示すリスト生成部５３が生成する障害論理パスＩＤリストの構成を説明する。図１０は、図６に示すリスト生成部５３が生成する障害論理パスＩＤリストの構成を示す図である。障害論理パスＩＤリストは、リスト生成部５３がタイムスロット割り当て管理テーブルと障害タイムスロットリストとを参照して生成する。リスト生成部５３は、障害タイムスロットが割り当て先となっている論理パスのＩＤを特定し、この特定した論理パスのＩＤを記載して障害論理パスＩＤリストを生成する。図１０に示す例では、論理パスのＩＤが＃３の論理パスに障害があることを示している。障害がある論理パスを、障害論理パスとも記載する。
【００５０】
次に、図１１を参照して、図６に示すリスト生成部５３が生成する未割り当て正常タイムスロットＩＤリストの構成を説明する。図１１は、図６に示すリスト生成部５３が生成する未割り当て正常タイムスロットＩＤリストの構成を示す図である。未割り当て正常タイムスロットＩＤリストは、リスト生成部５３が、タイムスロット割り当て管理テーブルと障害タイムスロットリストとを参照して生成する。未割り当て正常タイムスロットＩＤリストは、障害タイムスロットリストに含まれないタイムスロットのうち、論理パスが割り当てられていないタイムスロット（空きタイムスロット）である未割り当て正常タイムスロットのタイムスロットＩＤを記載したリスト情報である。図１１に示す例では、未割り当て正常タイムスロットが現時点ではないことを示している。未割り当て正常タイムスロットがある場合は、そのタイムスロットのＩＤが、このリストに記載されることになる。
【００５１】
次に、図１２を参照して、図６に示すリスト生成部５３が生成する正常論理パスＩＤリストの構成を説明する。図１２は、図６に示すリスト生成部５３が生成する正常論理パスＩＤリストの構成を示す図である。正常論理パスＩＤリストは、リスト生成部５３が、タイムスロット割り当て管理テーブルと障害タイムスロットリストとを参照して生成する。正常論理パスＩＤリストは、障害タイムスロットリストに含まれるタイムスロットへの割り当てがない論理パス（正常論理パス）のＩＤを記載したリスト情報である。図１２に示す例では、論理パスのＩＤが＃１、＃２、＃４、＃５の論理パスが正常であることを示している。
【００５２】
次に、図１３を参照して、図６に示す伝送フレーム多重処理制御部１５の処理動作を説明する。図１３は、図６に示す伝送フレーム多重処理制御部１５の処理動作を示すフローチャートである。まず、障害情報受信部５２は、伝送フレーム送信障害監視部１４または伝送フレーム受信障害監視部２４から障害タイムスロットリストを受信する（ステップＳ１）。障害情報受信部５２は、受信した障害タイムスロットリストをリスト生成部５３へ出力する。
【００５３】
次に、リスト生成部５３は、障害タイムスロットリスト（図９参照）に含まれるタイムスロットが割り当てられている障害論理パスのリストである障害論理パスＩＤリスト（図１０参照）を生成する（ステップＳ２）。リスト生成部５３は、タイムスロット割り当て管理テーブル（図８参照）の割り当てタイムスロットＩＤに、障害タイムスロットリストに記述されている障害タイムスロットのＩＤが設定されているレコードを特定し、特定したレコードの論理パスＩＤを読み出す。これにより、リスト生成部５３は、障害タイムスロットを割り当て先に含む論理パスのＩＤを特定し、この特定した論理パスのＩＤを記載して障害論理パスＩＤリストを生成する。
【００５４】
次に、リスト生成部５３は、障害タイムスロットリストに含まれない正常なタイムスロットのうち、論理パスが割り当てられていない空きのタイムスロットのリストである未割り当て正常タイムスロットＩＤリスト（図１１参照）を生成する（ステップＳ３）。リスト生成部５３は、全タイムスロットのＩＤから、障害タイムスロットリストに設定されているタイムスロットのＩＤと、タイムスロット割り当て管理テーブルの割り当てタイムスロットＩＤに設定されているタイムスロットのＩＤとを除いて未割り当て正常タイムスロットのＩＤを得る。リスト生成部５３は、この得られた未割り当て正常タイムスロットのＩＤを設定した未割り当て正常タイムスロットＩＤリストを生成する。
ここで、使用不可能に設定されているタイムスロットが存在する場合における、未割り当て正常タイムスロットＩＤリストの生成方法について説明する。この場合、リスト生成部５３は、全タイムスロットのＩＤから、障害タイムスロットリストに設定されているタイムスロットのＩＤと、タイムスロット割り当て管理テーブルの割り当てタイムスロットＩＤに設定されているタイムスロットのＩＤと、使用不可に設定されているタイムスロットのＩＤとを除いて未割り当て正常タイムスロットのＩＤを得る。リスト生成部５３は、この得られた未割り当て正常タイムスロットのＩＤを設定した未割り当て正常タイムスロットＩＤリストを生成する。
使用不可に設定されているタイムスロットとは、使用不可能な領域に含まれるタイムスロットである。使用不可に設定されているタイムスロットとは、例えば、アベイラビリティ（availability）が使用不可に設定されているタイムスロットである。
【００５５】
次に、リスト生成部５３は、障害タイムスロットリストに含まれる障害タイムスロットへの割り当てがない正常論理パスのＩＤのリストである正常論理パスＩＤリスト（図１２参照）を生成する（ステップＳ４）。リスト生成部５３は、タイムスロット割り当て管理テーブルのレコードのうち、割り当てタイムスロットＩＤに障害タイムスロットリストに設定されているタイムスロットのＩＤを含まないレコードを特定する。リスト生成部５３は、特定したタイムスロット割り当て管理テーブルのレコードから論理パスのＩＤを読み出し、読み出した論理パスＩＤを設定した正常論理パスＩＤリストを生成する。リスト生成部５３は、生成した各リストをタイムスロット割り当て部５４へ出力する。
【００５６】
これを受けて、タイムスロット割り当て部５４は、タイムスロット割り当て管理テーブル及び各リストの情報を参照して、タイムスロットの再割り当てを行う（ステップＳ５）。タイムスロット割り当て部５４は、以下の第１または第２の再割り当て処理のいずれかを実行してタイムスロットの再割り当てを行い、タイムスロット割り当て管理テーブル記憶部５１に記憶されているタイムスロット割り当て管理テーブルを更新する。これを受けて、割り当て情報送信部５５は、タイムスロットの再割り当て結果の情報を伝送フレーム多重処理部１２と伝送フレーム逆多重処理制御部２５に対して送信する。
【００５７】
第１の再割り当て処理は、障害論理パスＩＤリストに含まれる障害論理パスよりも低い優先度の正常論理パスが正常論理パスＩＤリストに含まれる場合、低い優先度の正常論理パスの割り当て先のタイムスロットと、現在障害タイムスロットが割り当て先となっている障害論理パスの割り当て先のタイムスロットとを入れ替えるようにタイムスロットの再割り当てを行う。
すなわち、タイムスロット割り当て部５４は、障害論理パスＩＤリストに設定されている障害論理パスのＩＤによりタイムスロット割り当て管理テーブルのレコードを特定し、特定したレコードから障害論理パスの優先度を読み出す。さらに、タイムスロット割り当て部５４は、正常論理パスＩＤリストに設定されている正常論理パスのＩＤによりタイムスロット割り当て管理テーブルのレコードを特定し、特定したレコードから正常論理パスの優先度を読み出す。タイムスロット割り当て部５４は、読み出したこれらの優先度を比較し、障害論理パスよりも低い優先度の正常論理パスが正常論理パスＩＤリストに含まれるか否かを判断する。タイムスロット割り当て部５４は、障害論理パスよりも低い優先度の正常論理パスがある場合、その低い優先度の正常論理パスの割り当て先のタイムスロットと、障害論理パスの割り当て先のタイムスロットとを入れ替えるようにタイムスロットの再割り当てを行う。
【００５８】
第２の再割り当て処理は、障害論理パスＩＤリストに含まれる障害論理パスよりも低い優先度の正常論理パスが正常論理パスＩＤリストに含まれる場合、低い優先度の正常論理パスの割り当て先のタイムスロットと、障害論理パスの割り当て先のタイムスロットと、未割り当て正常タイムスロットＩＤリストにＩＤが設定されている未割り当て正常タイムスロットとの３つの間で入れ替を行うようにタイムスロットの再割り当てを行う。
すなわち、タイムスロット割り当て部５４は、第１の再割り当て処理と同様に、障害論理パスＩＤリストにＩＤが設定されている障害論理パスの優先度と、正常論理パスＩＤリストにＩＤが設定されている正常論理パスの優先度をタイムスロット割り当て管理テーブルから読み出して比較する。タイムスロット割り当て部５４は、障害論理パスよりも低い優先度の正常論理パスがある場合、障害論理パスの割り当て先のタイムスロットを、未割り当て正常タイムスロットＩＤリストにＩＤが設定されている未割り当て正常タイムスロットに変更する。この変更により、障害論理パスの割り当て先のタイムスロットから障害タイムスロットがなくなった場合は、再割り当てを終了する。割り当て先のタイムスロットを変更しても、障害論理パスの割り当て先の障害タイムスロットの全てを、未割り当て正常タイムスロットに変更できなかった場合、さらに、第１の再割り当て処理と同様の再割り当て処理を行う。つまり、タイムスロット割り当て部５４は、障害論理パスの割り当て先のうち未割り当て正常タイムスロットに変更できなかった障害タイムスロットと、低い優先度の正常イベント論理パスの割り当て先のタイムスロットとを入れ替えるようにタイムスロットの再割り当てを行う。
【００５９】
伝送フレーム多重処理部１２は、伝送フレーム多重処理制御部１５から受信したタイムスロットの再割り当て結果の情報に従って、各論理パスにより受信したクライアント信号をＯＤＵＣｎのタイムスロットに設定する。伝送フレーム逆多重処理制御部２５は、伝送フレーム多重処理制御部１５から受信したタイムスロットの再割り当て結果の情報に基づいて、受信部２０が使用するタイムスロット割り当て管理テーブルを書き換え、タイムスロットの再割り当て結果の情報を伝送フレーム逆多重処理部２２に出力する。伝送フレーム逆多重処理部２２は、伝送フレーム逆多重処理制御部２５から受信した情報に従ってＯＤＵＣｎから各論理パスのクライアント信号を抽出する。
【００６０】
ここで、図１４、図１５および図１６を参照して、第１の再割り当て処理と第２の再割り当て処理について、具体例を挙げて動作を説明する。
始めに、図１４を参照して、第１の再割り当て処理を説明する。図１４は、論理パストラヒックのタイムスロットへのマッピング処理を示す図である。まず、初期状態として、タイムスロット割り当て部５４は、５００Ｇｂｐｓの光チャネル＃１について、論理パス＃１〜＃５をタイムスロットの若い番号から順に詰めるなどしてタイムスロット割り当て処理を行う。そして、タイムスロット割り当て部５４は、図１４の左上に示す図に示す初期状態のタイムスロット割り当て管理テーブルを生成し、タイムスロット割り当て管理テーブル記憶部に登録している。図１４の左下に示す図は、初期状態の論理パス＃１〜＃５のタイムスロットの割り当てを示す。各タイムスロットは、１〜５０のＩＤにより特定される。
【００６１】
伝送フレーム多重処理制御部１５の障害情報受信部５２が、障害タイムスロットリスト｛２１，２２，２３，２４，２５，２６，２７，２８，２９，３０｝（図９参照）を取得する（ステップＳ１）。
【００６２】
リスト生成部５３は、タイムスロット割り当て管理テーブルの割り当てタイムスロットＩＤに、障害タイムスロットリストに記述されている障害タイムスロットのＩＤが設定されているレコードを特定する。リスト生成部５３は、特定したレコードから読み出した論理パスＩＤを設定した障害論理パスＩＤリスト｛＃３｝（図１０参照）を生成する（ステップＳ２）。
【００６３】
リスト生成部５３は、全タイムスロットのＩＤ１〜５０から、障害タイムスロットリストに設定されているタイムスロットのＩＤ２１〜３０と、タイムスロット割り当て管理テーブルの割り当てタイムスロットＩＤに設定されているタイムスロットのＩＤ１〜５、６〜１０、１１〜３０、３１〜４０、４１〜５０とを除き、未割り当て正常タイムスロットのＩＤを特定する。ここでは、未割り当て正常タイムスロットがないため、リスト生成部５３は、未割り当て正常タイムスロットＩＤリスト｛ｎｕｌｌ｝（図１１参照）を生成する（ステップＳ３）。
【００６４】
リスト生成部５３は、タイムスロット割り当て管理テーブルのレコードのうち、割り当てタイムスロットＩＤに障害タイムスロットリストに設定されている障害タイムスロットのＩＤ２１〜３０を含まないレコードを特定する。リスト生成部５３は、特定したレコードから読み出した論理パスのＩＤを設定した正常論理パスＩＤリスト｛＃１、＃２、＃４、＃５｝（図１２参照）を生成する（ステップＳ４）。
【００６５】
タイムスロット割り当て部５４は、障害論理パスＩＤリストに設定されている論理パス＃３の優先度と、正常論理パスＩＤリストに設定されている論理パス＃１、＃２、＃４、＃５それぞれの優先度をタイムスロット割り当て管理テーブルから読み出す。論理パス＃２、＃４の優先度「低」は論理パス＃３の優先度「高」よりも低く、未割り当て正常タイムスロットがない。このため、タイムスロット割り当て部５４は、論理パス＃３と論理パス＃２、＃４との間で割り当て先のタイムスロットを入れ替える。ここでは、障害論理パスＩＤリストに設定されている論理パス＃３の割り当て先のＩＤ１１〜３０のタイムスロットのうち障害タイムスロットリストに設定されているＩＤ２１〜３０のタイムスロットと、論理パス＃４の割り当て先であるＩＤ２１〜３０のタイムスロットとを入れ替える（ステップＳ５）。なお、障害論理パスよりも優先度が低い正常論理パスが複数ある場合は、障害の影響がおよぶ論理パス数が最小となるようにタイムスロット入れ替えを行う論理パスを選択してもよい。
このように、伝送フレーム多重処理制御部１５は、障害タイムスロットに優先度「低」の論理パストラヒックをマッピングするように割当先のタイムスロットを入れ替え、図１４の右上に示す図に示すようにタイムスロット割り当て管理テーブルを変更する。図１４の右下に示す図は、タイムスロット再割り当て後の伝送フレームを示す。このように、伝送フレーム多重処理制御部１５は、空きタイムスロットがない場合は、より低い優先度の論理パスが障害の影響のあるタイムスロットに割り当てされるように、再割り当てを行う。
【００６６】
次に、図１５を参照して、第２の再割り当て処理を説明する。図１５は、論理パストラヒックのタイムスロットへのマッピング処理を示す図である。まず、初期状態として、タイムスロット割り当て部５４は、５００Ｇｂｐｓの光チャネル＃１について、論理パス＃１〜＃５をタイムスロットの若い番号から順に詰めるなどのタイムスロット割り当て処理を行う。そして、タイムスロット割り当て部５４は、図１５の左上に示す図に示す初期状態のタイムスロット割り当て管理テーブルを生成し、タイムスロット割り当て管理テーブル記憶部に登録している。図１５の左下に示す図は、初期状態の論理パス＃１〜＃５のタイムスロットの割り当てを示す。各タイムスロットは、１〜５０のＩＤにより特定される。
【００６７】
伝送フレーム多重処理制御部１５の障害情報受信部５２が、障害タイムスロットリスト｛２１，２２，２３，２４，２５，２６，２７，２８，２９，３０｝を取得する（ステップＳ１）。
【００６８】
リスト生成部５３は、タイムスロット割り当て管理テーブルの割り当てタイムスロットＩＤに、障害タイムスロットリストに記述されている障害タイムスロットのＩＤが設定されているレコードを特定する。リスト生成部５３は、特定したレコードから読み出した論理パスＩＤを設定した障害論理パスＩＤリスト｛＃３｝を生成する（ステップＳ２）。
【００６９】
リスト生成部５３は、全タイムスロットのＩＤ１〜５０から、障害タイムスロットリストに設定されているタイムスロットのＩＤ２１〜３０と、タイムスロット割り当て管理テーブルの割り当てタイムスロットＩＤに設定されているタイムスロットのＩＤ１、２、１１〜３０、３１〜４０、４１〜４５とを除き、未割り当て正常タイムスロットのＩＤを特定する。リスト生成部５３は、特定した未割り当て正常タイムスロットのＩＤを設定した未割り当て正常タイムスロットＩＤリスト｛３，４，…，１０，４６，…，５０｝を生成する（ステップＳ３）。
【００７０】
リスト生成部５３は、タイムスロット割り当て管理テーブルのレコードのうち、割り当てタイムスロットＩＤに障害タイムスロットリストに設定されている障害タイムスロットのＩＤ２１〜３０を含まないレコードを特定する。リスト生成部５３は、特定したレコードから読み出した論理パスのＩＤを設定した正常論理パスＩＤリスト｛＃１、＃２、＃４、＃５｝を生成する（ステップＳ４）。
【００７１】
タイムスロット割り当て部５４は、障害論理パスＩＤリストに設定されている論理パス＃３の優先度と、正常論理パスＩＤリストに設定されている論理パス＃１、＃２、＃４、＃５それぞれの優先度をタイムスロット割り当て管理テーブルから読み出す。論理パス＃２、＃４の優先度「低」は論理パス＃３の優先度「高」よりも低く、未割り当て正常タイムスロットＩＤリストがｎｕｌｌではない。そこで、タイムスロット割り当て部５４は、障害論理パスＩＤリストに設定されている論理パス＃３の割り当て先のＩＤ１１〜３０のタイムスロットのうち障害タイムスロットリストに設定されているＩＤ２１〜３０のタイムスロットを、未割り当て正常タイムスロットＩＤリストに含まれるＩＤ３〜１０、４６〜４７のタイムスロットに変更する（ステップＳ５）。
上述のように、伝送フレーム多重処理制御部１５は、障害タイムスロットに論理パストラヒックをマッピングしないようにマッピングを入れ替え、図１５の右上に示す図に示すように、タイムスロット割り当て管理テーブルを変更する。図１５の右下に示す図は、タイムスロット再割り当て後の伝送フレームを示す。このように、伝送フレーム多重処理制御部１５は、空きスロットがある場合は、空きスロットを活用し、できるだけトラヒック断をさせないよう再割り当てを行う。
【００７２】
次に、図１６を参照して、使用不可に設定されているタイムスロットが存在する場合における第２の再割り当て処理を説明する。
図１６の左下および右下に示す図において、ＩＤ９，１０，１９，２０，２９，３０，３９，４０,４９，５０のタイムスロットは、使用不可能な領域に含まれるタイムスロット、すなわち、使用不可に設定されているタイムスロットである（丸印と斜線を組み合わせた記号で示している）。
図１６は、論理パストラヒックのタイムスロットへのマッピング処理を示す図である。まず、初期状態として、タイムスロット割り当て部５４は、５００Ｇｂｐｓの光チャネル＃１について、論理パス＃１〜＃５をタイムスロットの若い番号から順に詰めるなどのタイムスロット割り当て処理を行う。そして、タイムスロット割り当て部５４は、図１６の左上に示す図に示す初期状態のタイムスロット割り当て管理テーブルを生成し、タイムスロット割り当て管理テーブル記憶部に登録している。図１６の左下に示す図は、初期状態の論理パス＃１〜＃５のタイムスロットの割り当てを示す。各タイムスロットは、１〜５０のＩＤにより特定される。
【００７３】
伝送フレーム多重処理制御部１５の障害情報受信部５２が、障害タイムスロットリスト｛２１，２２，２３，２４，２５，２６，２７，２８，２９，３０｝を取得する（ステップＳ１）。
【００７４】
リスト生成部５３は、タイムスロット割り当て管理テーブルの割り当てタイムスロットＩＤに、障害タイムスロットリストに記述されている障害タイムスロットのＩＤが設定されているレコードを特定する。リスト生成部５３は、特定したレコードから読み出した論理パスＩＤを設定した障害論理パスＩＤリスト｛＃３｝を生成する（ステップＳ２）。
【００７５】
リスト生成部５３は、全タイムスロットのＩＤ１〜５０から、障害タイムスロットリストに設定されているタイムスロットのＩＤ２１〜３０と、タイムスロット割り当て管理テーブルの割り当てタイムスロットＩＤに設定されているタイムスロットのＩＤ１、２、１１〜１８，２１〜２８，３１〜３８，４１〜４６と、使用不可に設定されているタイムスロットのＩＤ９，１０，１９，２０，２９，３０，３９，４０，４９，５０とを除き、未割り当て正常タイムスロットのＩＤを特定する。リスト生成部５３は、特定した未割り当て正常タイムスロットのＩＤを設定した未割り当て正常タイムスロットＩＤリスト｛３，…，８，４７，４８｝を生成する（ステップＳ３）。
【００７６】
リスト生成部５３は、タイムスロット割り当て管理テーブルのレコードのうち、割り当てタイムスロットＩＤに障害タイムスロットリストに設定されている障害タイムスロットのＩＤ２１〜３０を含まないレコードを特定する。リスト生成部５３は、特定したレコードから読み出した論理パスのＩＤを設定した正常論理パスＩＤリスト｛＃１、＃２、＃４、＃５｝を生成する（ステップＳ４）。
【００７７】
タイムスロット割り当て部５４は、障害論理パスＩＤリストに設定されている論理パス＃３の優先度と、正常論理パスＩＤリストに設定されている論理パス＃１、＃２、＃４、＃５それぞれの優先度をタイムスロット割り当て管理テーブルから読み出す。論理パス＃２、＃４の優先度「低」は論理パス＃３の優先度「高」よりも低く、未割り当て正常タイムスロットＩＤリストがｎｕｌｌではない。そこで、タイムスロット割り当て部５４は、障害論理パスＩＤリストに設定されている論理パス＃３の割り当て先のＩＤ１１〜１８，２１〜２８，３１〜３４のタイムスロットのうち障害タイムスロットリストに設定されているＩＤ２１〜２８のタイムスロットを、未割り当て正常タイムスロットＩＤリストに含まれるＩＤ３〜８，４７，４８のタイムスロットに変更する（ステップＳ５）。
上述のように、伝送フレーム多重処理制御部１５は、障害タイムスロットに論理パストラヒックをマッピングしないようにマッピングを入れ替え、図１６の右上に示す図に示すように、タイムスロット割り当て管理テーブルを変更する。図１６の右下に示す図は、タイムスロット再割り当て後の伝送フレームを示す。このように、伝送フレーム多重処理制御部１５は、空きスロットがある場合は、空きスロットを活用し、できるだけトラヒック断をさせないよう再割り当てを行う。
【００７８】
なお、上記実施形態では、優先度が「高」、「低」の２段階である場合を例に説明したが、本発明の実施形態はこのような場合に限定されない。優先度は３段階以上でもよい。例えば、優先度を「０」〜「７」の値により表される多値設定としてもよい。第１の再割り当て処理において、タイムスロット割り当て部５４は、障害論理パスよりも低い優先度の正常論理パスがある場合、その低い優先度の正常論理パスの割り当て先のタイムスロットと、障害論理パスの割り当て先のタイムスロットとを入れ替えるようにタイムスロットの再割り当てを行っている。このとき、タイムスロット割り当て部５４は、障害論理パスよりも低い優先度の正常論理パスが複数ある場合、障害論理パスと割り当て先のタイムスロットの入れ替えを行う正常論理パスを、優先度に基づいて選択してもよい。例えば、タイムスロット割り当て部５４は、障害論理パスと割り当て先のタイムスロットの入れ替えを行う正常論理パスを、優先度の最も低いパスから優先して選択してもよい。
【００７９】
上述した実施形態においては、光波長の障害発生時に、伝送フレーム多重処理制御部１５が再割当処理を行っているが、本発明の実施形態はこのような場合に限定されない。予め全ての光波長の障害パターンに応じた再割当処理を行っておいてもよい。伝送フレーム多重処理制御部１５は、実際に光波長に障害が発生したときに、その発生した障害に応じた障害パターンについて計算しておいた各論理パスのタイムスロットへの割り当ての情報を、伝送フレーム多重処理部１２及び伝送フレーム逆多重処理制御部２５に送信する。
【００８０】
上述した実施形態においては、伝送フレームとして、１００Ｇ単位で構成されるＯＴＵＣｎフレームを用いる場合について説明した。しかしながら、本発明の実施形態はこのような場合に限定されない。伝送フレームとして、ＯＴＵＣｎ−Ｍフレームを用いてもよい。ＯＴＵＣｎ−Ｍにおいては、５ギガビット毎秒単位で帯域が可変な１００Ｇ未満のクライアント信号の規格を設定している。例えば、「Ｍ＝６０」の場合は、「５×６０」で３００ギガビット毎秒の伝送レートとなる。
【００８１】
以上説明したように、光チャネル伝送システムを構成する送信側のフレーマは、光チャネルのタイムスロットに、それぞれに伝送優先度がついた論理パスをその論理パスの帯域に応じて割り当てる。各タイムスロットは、マルチキャリア伝送に用いる複数の光サブキャリアそれぞれの光波長のいずれかに対応する。送信側のフレーマは、論理パスにより受信したクライアント信号を、論理パスに割り当てられているタイムスロットに分割し、クライアント信号をタイムスロットに対応した光波長を用いた複数の光サブキャリアにより受信側のフレーマに伝送する。送信側のフレーマは、光波長に障害が発生した場合、その障害に影響があるタイムスロットを検出し、検出したタイムスロットのリストである障害タイムスロットリストを生成する。送信側のフレーマは、障害タイムスロットリストに含まれるタイムスロットが割り当てられている論理パスのリストである障害論理パスＩＤリストを生成する。さらに、送信側のフレーマは、障害タイムスロットリストに含まれないタイムスロットのうち、論理パスが割り当てられていないタイムスロットのリストである未割り当て正常タイムスロットＩＤリストを生成する。送信側のフレーマは、障害タイムスロットリストに含まれるタイムスロットへの割り当てがない論理パスのＩＤのリストである正常論理パスＩＤリストを生成する。さらに、送信側のフレーマは、以下の処理（１）および処理（２）のいずれかを実行する。
【００８２】
処理（１）：障害論理パスＩＤリストに含まれる論理パスよりも低い伝送優先度の論理パスが正常論理パスＩＤリストに含まれる場合、低い伝送優先度の論理パスの割り当て先のタイムスロットと、障害タイムスロットの割り当てられていた論理パスの割り当て先のタイムスロットとを入れ替えるようにタイムスロットの再割り当てを行う。
処理（２）：障害論理パスＩＤリストに含まれる論理パスよりも低い伝送優先度の論理パスが正常論理パスＩＤリストに含まれる場合、低い伝送優先度の論理パスの割り当て先のタイムスロットと、障害タイムスロットに割り当てられていた論理パスの割り当て先のタイムスロットと、未割り当て正常タイムスロットＩＤリストに含まれるタイムスロットとの３つの間で入れ替えるようにタイムスロットの再割り当てを行う。
【００８３】
これにより、光チャネルを伝送する一部の光波長あるいは物理ポートの障害時に、障害が発生した光波長に対応したタイムスロットを避けて高い優先度の論理パスにタイムスロットを割り当てるように、光チャネルのタイムスロットへの論理パスの割り当てを動的に変更し、論理パスの伝送優先度に従った伝送を行うことができる。
【００８４】
従来技術では、光チャネルを複数のタイムスロットに分割し、それぞれに伝送優先度がついた論理パスをその論理パスの帯域に応じてタイムスロット割り当てることにより論理パスを複数多重した光チャネルを、複数の光波長あるいは物理ポートに分割して伝送する光伝送装置において、光チャネルを伝送する一部の光波長あるいは物理ポートの障害時に、障害のある光波長あるいは物理ポートを通るトラヒックに断が発生していた。そのため、光チャネルを伝送する一部の光波長あるいは物理ポートの障害時に、論理パスの伝送優先度に従った伝送ができなかった。
【００８５】
前述した実施形態によれば、光伝送装置におけるフレーマは、光チャネルを伝送する一部の光波長あるいは物理ポートの障害時に、光チャネルに空き帯域がある場合は論理パスのマッピングを変更することにより、論理パストラヒックを復旧させる。また、光チャネルに空き帯域がない場合は論理パスの伝送優先度に従った伝送を行うことができるようになる。
【００８６】
前述した実施形態における伝送フレーム送信障害監視部１４、伝送フレーム多重処理制御部１５、伝送フレーム受信障害監視部２４、及び伝送フレーム逆多重処理制御部２５をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。ここでいう「コンピュータシステム」とは、ＯＳ（operating system）や周辺機器等のハードウェアを含む。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００８７】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００８８】
本発明は、大容量光伝送に利用可能である。
【符号の説明】
【００８９】
１  光伝送装置
２  光伝送装置
３  伝送路
１０  送信部
２０  受信部
１１−１〜１１−４  クライアント信号受信部
１２  伝送フレーム多重処理部
１３  伝送フレーム送信部
１４  伝送フレーム送信障害監視部
１５  伝送フレーム多重処理制御部
２１  伝送フレーム受信部
２２  伝送フレーム逆多重処理部
２３−１〜２３−４  クライアント信号送信部
２４  伝送フレーム受信障害監視部
２５  伝送フレーム逆多重処理制御部
５１  タイムスロット割り当て管理テーブル記憶部
５２  障害情報受信部
５３  リスト生成部
５４  タイムスロット割り当て部
５５  割り当て情報送信部
１１０  送信処理部
１２０  クライアント信号受信部
１２１  受信部
１２２  マッピング部
１２３  ＯＨ処理部
１３０  多重処理部
１３１  多重化部
１３２  フレーミング部
１４０  ライン側送信処理部
１４１  インタリーブ部
１４２−１、１４２−２、１４２−３、１４２−４  ＯＨ処理部
１４３−１、１４３−２、１４３−３、１４３−４  マルチレーン送信部
１５０  受信処理部
１６０  ライン側受信処理部
１６１−１、１６１−２、１６１−３、１６１−４  マルチレーン受信部
１６２−１、１６２−２、１６２−３、１６２−４  ＯＨ処理部
１６３  デインタリーブ部
１７０  分離処理部
１７１  デフレーミング部
１７２  逆多重化部
１８０  クライアント信号送信部
１８１  ＯＨ処理部
１８２  デマッピング部
１８３  送信部
２１０  ＯＤＵ−ＳＷ
２２０  送信機
２３０  受信機
８００  ＯＴＮフレーマ
【図１】
2016084953.tif 000003
【図２】
2016084953.tif 000004
【図３】
2016084953.tif 000005
【図４Ａ】
2016084953.tif 000006
【図４Ｂ】
2016084953.tif 000007
【図４Ｃ】
2016084953.tif 000008
【図４Ｄ】
2016084953.tif 000009
【図５】
2016084953.tif 000010
【図６】
2016084953.tif 000011
【図７】
2016084953.tif 000012
【図８】
2016084953.tif 000013
【図９】
2016084953.tif 000014
【図１０】
2016084953.tif 000015
【図１１】
2016084953.tif 000016
【図１２】
2016084953.tif 000017
【図１３】
2016084953.tif 000018
【図１４】
2016084953.tif 000019
【図１５】
2016084953.tif 000020
【図１６】
2016084953.tif 000021
【国際調査報告】
2016084953.tif 000022
2016084953.tif 000023
2016084953.tif 000024
2016084953.tif 000025